(57)【要約】【課題】軟膏・ゲル剤等の薬剤３を塗布部材１の先端へ簡単に注出又は滲み出し、塗布面に手指を汚すことなく手軽且つ均一に塗布できる薬剤塗布具を提供すること。【解決手段】軟膏・ゲル剤等の薬剤３を収納した容器４の先端部に繊維の集合体を繊維の空隙を保持した状態で樹脂により結合させた繊維芯体からなり、且つその繊維芯体を軸線方向に貫通する中空孔２を有し、且つ先端が先細形状である塗布部材１を取り付け、前記薬剤３を塗布部材１の中空孔２から先端部に注出又は滲み出るように構成したことを特徴とする薬剤塗布具。【選択図】図１
2005270409.tif 000002
【特許請求の範囲】
【請求項１】
軟膏・ゲル剤等の薬剤を収納した容器の先端部に繊維の集合体を繊維の空隙を保持した状態で樹脂により結合させた繊維芯体からなり、且つその繊維芯体を軸線方向に貫通する中空孔を有し、且つ先端が先細形状である塗布部材を取り付け、前記薬剤を塗布部材の中空孔から先端部に注出又は滲み出るように構成したことを特徴とする薬剤塗布具。
【請求項２】
塗布部材における先細形状の先端角度が２０°〜７０°の範囲である請求項１記載の薬剤塗布具。
【発明の詳細な説明】
【技術分野】
【０００１】
本発明は、薬剤を収納した容器の先端塗布部に中空孔を有する塗布部材を取り付けた薬剤塗布具に関するものである。
【背景技術】
【０００２】
容器に薬剤を収納した塗布具の先端塗布部分については、様々な試みが行われてきたが塗布面へ簡単且つ綺麗に心地よく塗布することには未だに多くの問題点があった。
【０００３】
上記問題を解決する為、特許文献１ではペン先若しくはペン先の周囲に薬剤が注出又は滲み出る構成のものが開示されている。これは液体等の薬剤をペン先から簡単に注出又は滲み出し塗布することには問題ないが、軟膏・ゲル剤等の薬剤を簡単に注出又は滲み出し塗布することは極めて困難である。又、塗布部にボール体等を使用している塗布具は先端部に金属等の硬い材質を使用している為、塗り心地が悪くしかも薬剤を綺麗に塗り広げることができないという問題点がある。
【０００４】
又、特許文献２では塗布部に中空孔を有した略半球状凸曲面形状のものが開示されている。これは塗布部の先端が鈍面形状の為、塗布面が限定されてしまい指間等の狭い所への塗布が極めて困難であり塗り心地や使用感に劣るという問題点がある。
【特許文献１】特開平９−２６６９５２号公報
【特許文献２】実開平７−１７７４４号公報
【発明の開示】
【発明が解決しようとする課題】
【０００５】
本発明は、軟膏・ゲル剤等の薬剤を簡単に注出又は滲み出しを行い、いかなる塗布面にも手指を汚さず簡単且つ均一に薬剤を塗布することができる使用感の良い衛生的な薬剤塗布具を提供することを目的とする。  
【課題を解決するための手段】
【０００６】
本発明は、前記課題を解決する為、軟膏・ゲル剤等の薬剤３を収納した容器４の先端部に繊維の集合体を繊維の空隙を保持した状態で樹脂により結合させた繊維芯体からなり、且つその繊維芯体を軸線方向に貫通する中空孔２を有し、且つ先端が先細形状である塗布部材１を取り付け、前記薬剤３を塗布部材１の中空孔２から先端部に注出又は滲み出し塗布部材１を使い手指を汚さず簡単且つ均一に薬剤を塗布することを特徴とする薬剤塗布具を提供する。
【０００７】
塗布部材１における先細形状の先端角度θが２０°〜７０°の範囲である請求項１記載の薬剤塗布具を提供する。
【発明の効果】
【０００８】
本発明によれば、塗布部材１は繊維芯体からなるので可撓性に富み塗布面患部への密着性と沿いとなじみが良く、軟膏・ゲル剤等の薬剤３を広域な範囲へ均一に塗り広げることができ、指間等の狭い所にはピンポイントに手指を汚さず衛生的に且つ簡単に塗布することができる。又塗布部材１は中空になっており、且つ先細形状になっているので先端の繊維がほぐれて短繊維状の構造になり塗り心地が良く更に効果が発現されることになる。
【発明を実施するための最良の形態】
【０００９】
本発明について、以下具体的に説明する。
【００１０】
塗布部材１における合成繊維は、ポリエステル・ナイロン・ポリプロピレン・アクリル等があり、合成樹脂としては、ポリウレタン樹脂・エポキシ樹脂・メラミン樹脂・フェノール樹脂等の熱硬化性樹脂が挙げられる。柔軟性に富む塗布部材１を成形するには、合成繊維にはナイロン繊維、合成樹脂にはポリウレタン樹脂を使用することが望ましい。塗布部材１の中心部に位置する中空孔２はナイロン繊維とポリウレタン樹脂を加熱成形する際に形成されても良く、又、成形後に後加工により穿設させても良い。中空孔２の数は１個に限定されず複数個設けても良い。又、中空孔２の形状については特に限定されるものではない。
【００１１】
塗布部材１の先細形状とは、先端角度θが２０°〜７０°の範囲にある筆形状・ネイル（爪）形状・チゼル形状（図２・図４・図６）等の公知の形状が挙げられる。先端角度θが２０°未満の場合は広域な範囲へ均一に塗り広げることが難しい上、患部への沿いとなじみが悪くなる。又、７０°を超える場合は狭い所へピンポイントに塗布することが難しくなる上、先端の繊維がほぐれて短繊維状の構造になりにくいので塗り心地が悪くなる。尚、先端角度の定義としては、塗布部材１における先細形状の先端点ａと先細形状の起点ｂ及びｃを結んだ角度θ（図３・図５・図７）とする。
【００１２】
塗布部材１の外周部にはアタッチメント５からの抜け落ち防止用のリング溝７の加工等を行ってもよい。
【００１３】
塗布部材１に抗菌処理を施すことで雑菌の繁殖・薬剤の変質を防ぐことができ、又、軟膏・ゲル剤等の薬剤３を塗布する前に空隙を保持した塗布部材１に消毒液等を含浸させ塗布面への消毒処理を行うことで、患部を衛生的に保ち、軟膏・ゲル剤等の薬剤３の効果を十分に引き出すことができる。
【００１４】
一般的な中実の塗布部材は、液体等の薬剤を注出又は滲み出しを行い塗布することは容易であるが、軟膏・ゲル剤等の薬剤の注出又は滲み出しは困難である。それに対し、本発明の中空孔２を有した塗布部材１は中空孔２から塗布部材先端への軟膏・ゲル剤等の薬剤３の注出又は滲み出しが簡単であり塗布性も良い。更には液体等の薬剤でも中空孔周囲の繊維体が液体等の薬剤を吸収する為、液垂れの心配が無く塗布量の調整も簡単である。
【００１５】
塗布部材１の先端部へ中空孔２から軟膏・ゲル剤等の薬剤３を注出又は滲み出しを行うことが簡単であり且つ中空孔２に作用する表面張力により前記薬剤が容器４から自然に流出することを防止できる為の中空孔２の直径ｄは、０．５ｍｍ〜５．０ｍｍの範囲が好ましい。
【００１６】
材質が樹脂や金属等の（非繊維）製の中空孔を有した一般的な塗布部材は、軟膏・ゲル剤等の薬剤を注出又は滲み出し塗布することは簡単であるが、液体等の薬剤では液体が垂れ易く且つ塗布量の調整が難しく弁構造等の部材が別途必要になる。それに対し、本発明の塗布部材１は中空孔周囲の繊維体が液体を吸収する為、それらの構造が不要で部材点数が少なく簡素化される。
【００１７】
容器４及びアタッチメント５に関しては、本発明の要旨を逸脱しない範囲で公知のものを自由に使用することができる。
【実施例１】
【００１８】
本発明を実施例（図１）に基づいて説明する。
【００１９】
図１は容器４内に軟膏・ゲル剤等の薬剤３を収納し、この容器４の先端部に前記薬剤３を注出又は滲み出す為のナイロン繊維とポリウレタン樹脂からなる柔軟性に富む中空孔２を有した塗布部材１を容器４との接続用アタッチメント５と共に取り付け、又、アタッチメント５の外周部の雄ネジ６には軟膏・ゲル剤等の薬剤３の乾燥防止用キャップを着脱自在に設ける構成としてある。
【００２０】
図１では、塗布部材１の先細形状は筆形状（図２）としてあるがネイル形状（図４）・チゼル形状（図６）等公知の形状のいずれであってもよい。  
【００２１】
塗布部材１の製造例を説明すると、単糸が３．３ｄｔｅｘでナイロン繊維からなる綿紐状にしたものを複数本集束し、ダイスにて加熱成形する。その際、ダイス穴の中心部に樹脂製又は金属製の棒を設置することで中心部に中空孔２を有した棒状体を成形することができる。次に、５％固形分のポリウレタン樹脂溶液に浸漬後、乾燥硬化させるとナイロン繊維とバインダーとしてのポリウレタン樹脂とからなる中空孔２を有した棒状の繊維体を成形することができる。その後、カット、研削加工を行うと繊維の空隙を保持した状態で樹脂により結合させた繊維芯体からなり、且つその繊維芯体を軸線方向に貫通する中空孔２を有し且つ先端が先細形状である多様な形状の塗布部材１を製造することができる。
【産業上の利用可能性】
【００２２】
本発明は、軟膏・ゲル剤等の水虫薬・かゆみ止め薬・神経痛薬等、若しくは化粧用・美容用等の薬剤塗布具としての利用が可能であり、人体の足部及び皮膚に手指を汚さず簡単且つ均一に薬剤を塗布し浸透させることができる。
【図面の簡単な説明】
【００２３】
【図１】本発明の薬剤塗布具の実施方法を示した説明図である。
【図２】本発明の塗布部材に係る先細形状（筆形状）を示した斜視図である。
【図３】先細形状（筆形状）の先端角度を定義した説明図である。
【図４】本発明の塗布部材に係る先細形状（ネイル形状）を示した斜視図である。
【図５】先細形状（ネイル形状）の先端角度を定義した説明図である。
【図６】本発明の塗布部材に係る先細形状（チゼル形状）を示した斜視図である。
【図７】先細形状（チゼル形状）の先端角度を定義した説明図である。
【符号の説明】
【００２４】
１塗布部材    
２中空孔    
３軟膏・ゲル剤等の薬剤    
４容器    
５アタッチメント  
６雄ネジ
７リング溝
ａ塗布部材における先細形状の先端点
ｂ塗布部材における先細形状の起点
ｃ塗布部材における先細形状の起点
ｄ塗布部材における中空孔の直径  
θ塗布部材における先細形状の先端角度
【図１】
2005270409.tif 000003
【図２】
2005270409.tif 000004
【図３】
2005270409.tif 000005
【図４】
2005270409.tif 000006
【図５】
2005270409.tif 000007
【図６】
2005270409.tif 000008
【図７】
2005270409.tif 000009